(57)【要約】      （修正有）【課題】高精度なインダクタを形成することができたり、インダクタとは異なる動作も可能なインダクタンス疑似回路を提供する。【解決手段】インダクタンス疑似回路１０では、第１フォロワ回路３１の入力側を、入力電圧が印加されるコンデンサ２０および第１抵抗２１の直列回路３０のコンデンサ２０と第１抵抗２１との接続点に接続する。第１フォロワ回路３１の出力側は、入力電圧が印加される一対の入力端子１１，１２のコンデンサ２０側に、第２抵抗２２を介して接続される。一対の入力端子１１，１２から直列回路３０に印加される入力電圧は、コンデンサ２０側には、出力側から入力と等しい出力を導出する第２フォロワ回路３２を介して与えられる。コンデンサ２０に流れる電流に応じて第１抵抗２１に発生する電圧と入力電圧との差の電圧が第２抵抗２２にかかり、第２抵抗２２には擬似的にインダクタと同様な電流が流れる。【選択図】      図１
2004328867.tif 000002
【特許請求の範囲】
【請求項１】
インダクタンス素子を含まずに、一対の入力端子間に印加される入力電圧に応じて流れる電流を、該入力電圧をインダクタンス素子に印加するときに流れる電流と同様に変化させることが可能なインダクタンス疑似回路であって、
入力電圧が印加されるコンデンサおよび第１抵抗の直列回路と、
直列回路のコンデンサおよび第１抵抗の接続点に入力側が接続され、出力側から入力と等しい出力を導出する第１フォロワ回路と、
一対の入力端子のうち直列回路のコンデンサ側となる入力端子、および第１フォロワ回路の出力側の間に接続される第２抵抗と、
一対の入力端子のうち直列回路のコンデンサ側となる入力端子に入力側が接続され、該コンデンサに出力側が接続されて、入力と等しい出力を導出する第２フォロワ回路とを含むことを特徴とするインダクタンス疑似回路。
【請求項２】
インダクタンス素子を含まずに、一対の入力端子間に印加される入力電圧に応じて流れる電流を、該入力電圧をインダクタンス素子に印加するときに流れる電流と同様に変化させることが可能なインダクタンス疑似回路であって、
入力電圧が印加されるコンデンサおよび第１抵抗の直列回路と、
直列回路のコンデンサおよび第１抵抗の接続点に入力側が接続され、出力側から入力と等しい出力を導出するフォロワ回路と、
一対の入力端子のうち直列回路のコンデンサ側となる入力端子、およびフォロワ回路の出力側の間に接続される第２抵抗とを含み、
第１抵抗と第２抵抗とのうちの少なくとも一方は、第１抵抗と第２抵抗との抵抗値の比が１より大きい状態と１以下の状態との間で、抵抗値を変更可能であることを特徴とするインダクタンス疑似回路。
【請求項３】
前記第１抵抗と第２抵抗とのうちの少なくとも一方は、前記比が１より大きい状態と１より小さい状態との間で、抵抗値を連続的に変更可能であることを特徴とする請求項２記載のインダクタンス疑似回路。
【発明の詳細な説明】
【０００１】
【発明の属する技術分野】
本発明は、コイルを使用しないでもコイルと同等の電気的特性を得ることができるインダクタンス疑似回路に関する。
【０００２】
【従来の技術】
従来から、マイクロコンピュータなどを用いる電子的な制御は、入力側の各種センサや出力側の各種アクチュエータとして、コイル（インダクタ成分）を使用することがある。インダクタ成分は、電線の巻き数や磁性体の透磁率などで決まるので、たとえば大きなインダクタンス値を得ることは非常に困難であり、多くの巻き数と大形の鉄心などを必要とする。
【０００３】
図１３は、コイルを使用しないでもコイルと同等の電気的特性を得るインダクタンス疑似回路の一例として、模擬インダクタの構成を示す（たとえば、特許文献１参照）。模擬インダクタ１は、演算増幅器２と電流検出抵抗Ｒ０と、演算抵抗Ｒ１，Ｒ２とコンデンサＣと、電流検出抵抗Ｒ０の電圧降下分を分圧して、演算増幅器２に負帰還を掛ける分圧比可変の分圧回路３と、模擬インダクタ１に正負の電圧を供給する制御電源４と、端子Ａ−Ｂとを備えている。
【０００４】
このように構成されている模擬インダクタ１のインピーダンスＺ（Ω）は、分圧回路３の分圧比をｋ、電流検出抵抗Ｒ０の抵抗値をＲ０（Ω）、角周波数をω、コンデンサの静電容量をＣ（Ｆ）、演算抵抗Ｒ１の抵抗値をＲ１（Ω）、単位虚数をｊとし、模擬インダクタに加えられる電圧ｖと電流検出抵抗Ｒ０を流れる電流ｉとの比として、
Ｚ＝ｋ×（Ｒ０＋ｊ×ω×Ｃ×Ｒ１×Ｒ０）                …（１）
となって、インダクタとして機能すると記載されている。
【０００５】
また電話局の交換機から動作用の直流電力に重畳して通話信号が送られてくる公衆電話回線（ＰＳＴＮ）用の電話機内には、疑似インダクタンス回路が設けられ、通話信号が減衰しないように電源系を取り出している（たとえば、特許文献２参照）。
【０００６】
【特許文献１】
特開平８−９４６８６号公報（第２頁、図１）
【特許文献２】
特開平９−２１５１８５号公報（第２頁）
【０００７】
【発明が解決しようとする課題】
前述の（１）式は、特許文献１の（２）式であるであるけれども、端子Ａ−Ｂ間の正確なインピーダンスではない。（１）式では、電圧は端子Ａ−Ｂ間に印加される電圧であるけれども、電流は電流検出抵抗Ｒ０に流れる電流のみを考慮し、コンデンサＣに流れる電流を考慮していないからである。。
【０００８】
本発明の目的は、高精度なインダクタを形成することができるインダクタンス疑似回路を提供することである。
【０００９】
本発明の他の目的は、インダクタとは異なる動作も可能なインダクタンス疑似回路を提供することである。
【００１０】
【課題を解決するための手段】
本発明は、インダクタンス素子を含まずに、一対の入力端子間に印加される入力電圧に応じて流れる電流を、該入力電圧をインダクタンス素子に印加するときに流れる電流と同様に変化させることが可能なインダクタンス疑似回路であって、
入力電圧が印加されるコンデンサおよび第１抵抗の直列回路と、
直列回路のコンデンサおよび第１抵抗の接続点に入力側が接続され、出力側から入力と等しい出力を導出する第１フォロワ回路と、
一対の入力端子のうち直列回路のコンデンサ側となる入力端子、および第１フォロワ回路の出力側の間に接続される第２抵抗と、
一対の入力端子のうち直列回路のコンデンサ側となる入力端子に入力側が接続され、該コンデンサに出力側が接続されて、入力と等しい出力を導出する第２フォロワ回路とを含むことを特徴とするインダクタンス疑似回路である。
【００１１】
本発明に従えば、出力側から入力と等しい出力を導出する第１フォロワ回路の入力側を、入力電圧が印加されるコンデンサおよび第１抵抗の直列回路のコンデンサと第１抵抗との接続点に接続する。第１フォロワ回路の出力側は、入力電圧が印加される一対の入力端子のコンデンサ側に、第２抵抗を介して接続される。一対の入力端子から直列回路に印加される入力電圧は、コンデンサ側には、出力側から入力と等しい出力を導出する第２フォロワ回路を介して与えられる。コンデンサに流れる電流に応じて第１抵抗に発生する電圧と入力電圧との差の電圧が第２抵抗にかかり、第２抵抗には擬似的にインダクタと同様な電流が流れる。入力端子に与えられる入力電圧がコンデンサには直接流れず、第２抵抗に流れるので、コンデンサの影響を受けず、高精度なインダクタを形成して動作させることができる。
【００１２】
さらに本発明は、インダクタンス素子を含まずに、一対の入力端子間に印加される入力電圧に応じて流れる電流を、該入力電圧をインダクタンス素子に印加するときに流れる電流と同様に変化させることが可能なインダクタンス疑似回路であって、
入力電圧が印加されるコンデンサおよび第１抵抗の直列回路と、
直列回路のコンデンサおよび第１抵抗の接続点に入力側が接続され、出力側から入力と等しい出力を導出するフォロワ回路と、
一対の入力端子のうち直列回路のコンデンサ側となる入力端子、およびフォロワ回路の出力側の間に接続される第２抵抗とを含み、
第１抵抗と第２抵抗とのうちの少なくとも一方は、第１抵抗と第２抵抗との抵抗値の比が１より大きい状態と１以下の状態との間で、抵抗値を変更可能であることを特徴とするインダクタンス疑似回路である。
【００１３】
本発明に従えば、出力側から入力と等しい出力を導出するフォロワ回路の入力側を、入力電圧が印加されるコンデンサおよび第１抵抗の直列回路のコンデンサと第１抵抗との接続点に接続する。フォロワ回路の出力側は、入力電圧が印加される一対の入力端子のコンデンサ側に、第２抵抗を介して接続される。一対の入力端子から直列回路に印加される入力電圧は、コンデンサ側と、コンデンサに流れる電流に応じて第１抵抗に発生する電圧と入力電圧との差の電圧に応じて第２抵抗に流れる電流との和となる。第２抵抗には擬似的にインダクタと同様な電流が流れ、第１抵抗と第２抵抗との比が１よりも大きいときは、第２抵抗を流れる電流が多くなるので、全体としてインダクタと同様な誘導性として動作する。第１抵抗と第２抵抗とが等しいときは、コンデンサに流れる電流の変化を第２抵抗に流れる電流の変化で補い、全体として一定の電流となって、抵抗成分のみとして動作させることができる。第１抵抗と第２抵抗との比が１よりも小さいときは、第２抵抗を流れる電流が少なくなるので、全体としてコンデンサに流れる電流の方が多くなって、容量性として動作する。第１抵抗と第２抵抗との比が１よりも大きいときの誘導性となるインダクタとしての動作と、比が１以下となるときの抵抗性または容量性とで異なる動作を行わせることができる。
【００１４】
また本発明で、前記第１抵抗と第２抵抗とのうちの少なくとも一方は、前記比が１より大きい状態と１より小さい状態との間で、抵抗値を連続的に変更可能であることを特徴とする。
【００１５】
本発明に従えば、第１抵抗と第２抵抗との比が１より大きくて誘導性のインダクタとして動作する状態と、比が１より小さくて容量性のコンデンサとして動作する状態との間を、連続的に変化させることができる。
【００１６】
【発明の実施の形態】
図１は、本発明の実施の一形態であるインダクタンス疑似回路１０の概略的な構成を示す。インダクタンス疑似回路１０は、インダクタンス素子を含まずに、一対の入力端子間１１，１２に印加される信号源１３からの入力電圧に応じて流れる電流を、その入力電圧をインダクタンス素子に印加するときに流れる電流ＩＬ  と同様に変化させることが可能である。インダクタンス疑似回路１０には、インダクタンス素子に代えて、コンデンサ２０、第１抵抗２１および第２抵抗２２が主要な素子として含まれる。コンデンサ２０および第１抵抗２１は、直列に接続されて直列回路３０を構成する。直列回路３０と第２抵抗２２との間には、第１フォロワ回路３１および第２フォロワ回路３２が設けられる。第１フォロワ回路３１および第２フォロワ回路３２は、利得が１で入力インピーダンスが充分に高く、出力インピーダンスが充分に低いために、入力と等しい出力を導出することができる。このようなフォロワ回路３１，３２は、演算増幅器の反転入力を出力に接続する「ボルテージ・フォロワ」と呼ばれる構成で実現することができる。第１フォロワ回路３１および第２フォロワ回路３２には、図示を省略している直流電源から動作用の電力が供給される。
【００１７】
第１フォロワ回路３１は、直列回路３０のコンデンサ２０および第１抵抗２１の接続点に入力側が接続され、出力側から入力と等しい出力を第２抵抗２２の一端に与える。第２抵抗２２の他端は、一対の入力端子１１，１２のうち直列回路３０のコンデンサ２０側となる入力端子１１に接続される。第２フォロワ回路３２は、一対の入力端子１１，１２のうち直列回路３０のコンデンサ２０側となる入力端子１１に入力側が接続され、そのコンデンサ２０に出力側が接続されて、入力端子１１とコンデンサ２０との間に介在する。このような構成は、直列回路３０に追加回路３３を付加して、入力端子１１，１２間に接続しているとみなすことができる。追加回路３３のうちの第１フォロワ回路３１によって、第２抵抗２２の両端には、コンデンサ２０の両端の電位差ＶＣ  と等しい電圧が発生するように、電流が流れる。第２フォロワ回路３２によって、入力端子１１から流れる電流は、コンデンサ２０側には流れずに、第２抵抗２２側に流れる。コンデンサ２０には、第２フォロワ回路３２の出力側から電流が供給される。すなわち、入力端１１からは、コンデンサ２０の両端間の電位差ＶＣ  と同様に変化する電流ＩＬ  が第２抵抗２２を介して第１フォロワ回路３１の出力側に流れ込む。
【００１８】
図２は、インダクタンス疑似回路１０の基本的な動作原理を示す。図２（ａ）は、信号源１３にコンデンサ２０および第１抵抗２１の直列回路３０を接続している状態を示す。信号源１３から、図２（ｂ）に示すような矩形波の電圧Ｖｓを出力する場合を想定すると、コンデンサ２０を含む直列回路３０に流れる電流Ｉｃは、図２（ｃ）に示すような微分波形となる。またコンデンサ２０の両端の電圧Ｖｃは、図２（ｄ）に示すような積分波形となる。ここで、図２（ｅ）に示すような、図２（ａ）に示す直列回路３０でコンデンサ２０をコイル３４で置換えた回路を想定する。このコイル３４の両端の電圧ＶＬ  は、図２（ｃ）に示すような微分波形となり、直列回路に流れる電流ＩＬ  は、図２（ｄ）に示すような積分波形になる。すなわち、コイル３４とコンデンサ２０とは、素子を流れる電流と素子の電位差との時間的な変化は逆になっている。前述の特許文献１に開示されているような模擬インダクタは、このような原理に基づいている。
【００１９】
本実施形態のインダクタンス疑似回路１０では、追加回路３３を設け、出力側から入力と等しい出力を導出する第１フォロワ回路３１の入力側を、入力電圧が印加されるコンデンサ２０および第１抵抗２１の直列回路３０のコンデンサ２０と第１抵抗２１との接続点に接続する。第１フォロワ回路３１の出力側は、入力電圧が印加される一対の入力端子１１，１２のコンデンサ２０側に、第２抵抗２２を介して接続される。一対の入力端子１１，１２から直列回路３０に印加される入力電圧は、コンデンサ２０側には、出力側から入力と等しい出力を導出する第２フォロワ回路３２を介して与えられる。コンデンサ２０に流れる電流に応じて第１抵抗２１に発生する電圧と入力電圧との差の電圧が第２抵抗２２にかかり、第２抵抗２２には擬似的にインダクタと同様な電流が流れる。
【００２０】
すなわち、図１の第２フォロワ回路２２は、図２（ａ）に示すような第１抵抗２１とコンデンサ２０との直列回路３０へ流れる電流の影響を小さくするためのものである。理想的な演算増幅器で第２フォロワ回路２２を形成すれば、入力インピーダンスは無限大なので、直列回路３０へ流れる電流の影響を受けないようにすることができる。実現可能な演算増幅器で第２フォロワ回路２２を形成する場合でも、第２抵抗２２の抵抗値に比較して入力インピーダンスを充分に高くしておけば、入力電流による誤差を充分に小さくすることができる。第１フォロワ回路２１は、コンデンサ２０の電位差を第２抵抗２２に伝えるので、第２抵抗２２に流れる電流の時間変化は、コンデンサ２０の電位差の時間変化に等しく、図２（ｄ）に示すＩｌの変化として扱うことができる。入力端子１１に与えられる入力電圧がコンデンサ２０には直接流れず、第２抵抗２２に流れるので、一対の入力端子１１，１２間には、コンデンサ２０に流れる電流の影響が現れず、高精度なインダクタを形成して動作させることができる。
【００２１】
図３、図４および図５は、（ａ）に示すような図２（ａ）、図２（ｄ）および図１と同様な回路に、理想的な１００Ｈｚの矩形波を印加するときのシミュレーションによる電流波形を（ｂ）でそれぞれ示す。第１抵抗２１および第２抵抗２２の抵抗値は１ｋΩ、コンデンサ２０の容量は１μＦ、コイル３４のインダクタンスは１Ｈである。また、第１フォロワ回路３１および第２フォロワ回路３２は、理想的な演算増幅器によって構成している。図３では、コンデンサ２０に流れる電流波形が微分波形であることが判る。図５（ａ）に示すように、図２（ａ）の直列回路３０に追加回路３３を追加することによって、図５（ｂ）に示す電流波形は、図４（ｂ）に示すコイル３４を用いる回路と同様に、積分波形になることが判る。
【００２２】
図６は、本発明の実施の他の形態であるインダクタンス疑似回路５０の概略的な構成を示す。本実施形態で、図１の実施形態に対応する部分は同一の参照符を付し、重複する説明を省略する。インダクタンス疑似回路５０では、一対の入力端子１１，１２間に印加される入力電圧がコンデンサ２０および第１抵抗５１の直列回路５２にも直接印加される。直列回路５２のコンデンサ２０および第１抵抗５１の接続点に入力側が接続され、出力側から入力と等しい出力を導出するフォロワ回路５３は、図１の第１フォロワ回路３１と同等である。一対の入力端子１１，１２のうち直列回路５２のコンデンサ２０側となる入力端子１１、およびフォロワ回路５３の出力側の間には、第２抵抗２２が接続される。フォロワ回路５３と第２抵抗２２とは、直列回路５２に対する追加回路５４を構成する。
【００２３】
第１抵抗５１は、第１抵抗５１と第２抵抗２２との抵抗値の比が１より大きい状態と１以下の状態との間で、抵抗値を連続的に変更可能な可変抵抗器である。複数の抵抗値をスイッチで切換えるようにすることもできる。ホール素子、磁気抵抗素子、光電素子などを用いて抵抗値を可変にすることもできる。第２抵抗２２の抵抗値を変更しても、また、第１抵抗５１および第２抵抗２２の両方を変更しても同様な効果を得ることができる。
【００２４】
本実施形態では、出力側から入力と等しい出力を導出するフォロワ回路５３の入力側を、入力電圧が印加されるコンデンサ２０および第１抵抗５１による直列回路５２で、コンデンサ２０と第１抵抗５１との接続点に接続する。フォロワ回路５３の出力側は、入力電圧が印加される一対の入力端子１１，１２のコンデンサ２０側に、第２抵抗２２を介して接続される。一対の入力端子１１，１２から直列回路５２に印加される入力電圧は、コンデンサ２０側と、第２抵抗２２側とにかかる。コンデンサ２０に流れる電流に応じて第１抵抗５１に発生する電圧と入力電圧ＶＳ  との差の電圧が第２抵抗２２にかかる。第２抵抗２２には、この電圧を第２抵抗２２の抵抗値で除算した値の電流が流れる。入力端子１１に流れる電流は、コンデンサ２０に流れる電流と、第２抵抗２２に流れる電流との和となる。
【００２５】
第２抵抗２２には擬似的にインダクタと同様な電流が流れる。第１抵抗５１と第２抵抗２２との抵抗値の比が１よりも大きいときは、第２抵抗２２を流れる電流が多くなるので、全体としてインダクタと同様な誘導性として動作する。第１抵抗５１と第２抵抗２２とが等しいときは、コンデンサ２０に流れる電流の変化を第２抵抗２２に流れる電流の変化で補い、全体として一定の電流となって、抵抗成分のみとして動作させることができる。第１抵抗５１と第２抵抗２２との比が１よりも小さいときは、第２抵抗２２を流れる電流が少なくなるので、全体としてコンデンサ２０に流れる電流の方が多くなって、容量性として動作する。第１抵抗５１と第２抵抗２２との抵抗値の比が１よりも大きいときの誘導性となるインダクタとしての動作と、比が１以下となるときの抵抗性または容量性とで異なる動作を行わせることができる。
【００２６】
図７、図８および図９は、図６のインダクタンス疑似回路５０で、第１抵抗５１の抵抗値を２ｋΩ，１ｋΩ，０．５ｋΩにそれぞれ変化させるときの回路を（ａ）で、信号源１３から矩形波を入力するときのシミュレーションによる電流波形を（ｂ）でそれぞれ示す。矩形波の周波数は１００Ｈｚでり、０Ｖから５Ｖまで変化する。立上がりと立ち下がりと遅延は０で理想的な５０％ディーティの波形を入力する。フォロワ回路５３は、理想的な演算増幅器による。第２抵抗２２の抵抗値は１ｋΩ、コンデンサ２０の容量は、１μＦである。図７のように第１抵抗５１の抵抗値が第２抵抗２２の抵抗値よりも大きいときは誘導性で積分波形となり、疑似インダクタとして動作していることが判る。図８のように、第１抵抗５１と第２抵抗２２との抵抗値が等しければ、リアクタンス分のない抵抗性として動作していることが判る。図９のように、第１抵抗の抵抗値が第２抵抗の抵抗値よりも小さくなると、容量性で微分波形となることが判る。
【００２７】
図１０、図１１および図１２は、図７、図８、図９と同一の条件の回路を（ａ）で、信号源１３から正弦波を入力するときのシミュレーションによる電流波形を（ｂ）でそれぞれ示す。周波数は１００Ｈｚである。なお、（ｂ）の電流波形は実線で示し、一点鎖線では入力される電圧波形を示す。図１０では、電流が電圧よりも位相が遅れて、誘導性であることが判る。図１１では、電流と電圧とが位相が一致し、抵抗性であることが判る。図１２では、電流が電圧よりも位相が進み、容量性であることが判る。
【００２８】
すなわち本実施形態では、第１抵抗５１と第２抵抗２２とのうちの少なくとも一方である第１抵抗５１は、抵抗値の比が１より大きい状態と１より小さい状態との間で、抵抗値を連続的に変更可能である。第１抵抗５１と第２抵抗２２との比が１より大きくて誘導性のインダクタとして動作する状態と、比が１より小さくて容量性のコンデンサとして動作する状態との間を、連続的に変化させることができる。
【００２９】
【発明の効果】
以上のように本発明によれば、入力端子に与えられる入力電圧がコンデンサには直接流れず、第２抵抗に流れるので、コンデンサの影響を受けず、高精度なインダクタを形成して動作させることができる。
【００３０】
さらに本発明によれば、入力端子から直流回路に印加される入力電圧は、コンデンサ側と、コンデンサに流れる電流に応じて第１抵抗に発生する電圧と入力電圧との差の電圧に応じて第２抵抗に流れる電流との和となる。第２抵抗には擬似的にインダクタと同様な電流が流れ、第１抵抗と第２抵抗との比が１よりも大きいときは、第２抵抗を流れる電流が多くなるので、全体としてインダクタと同様な誘導性として動作し、比が１以下のときは抵抗性または容量性となってインダクタとは異なる動作を行わせることができる。
【００３１】
また本発明によれば、誘導性のインダクタとして動作する状態と容量性のコンデンサとして動作する状態との間を、連続的に変化させることができる。
【図面の簡単な説明】
【図１】本発明の実施の一形態であるインダクタンス疑似回路１０の概略的な電気的構成を示すブロック図である。
【図２】図１のインダクタンス疑似回路１０の基本的な動作原理を示すブロック図および波形図である。
【図３】抵抗とコンデンサとの直列回路と、矩形波入力時の電流波形とを示す。
【図４】抵抗とコイルとのの直列回路と、矩形波入力時の電流波形とを示す。
【図５】図１のインダクタンス疑似回路１０と、矩形波入力時の電流波形とを示す。
【図６】本発明の実施の他の形態であるインダクタンス疑似回路５０の概略的な電気的構成を示すブロック図である。
【図７】図６のインダクタンス疑似回路５０で、第１抵抗５１の抵抗値が第２抵抗２２の抵抗値よりも大きいときの電気的構成を示すブロック図、および信号源１３から矩形波を入力するときのシミュレーションによる電流波形図である。
【図８】図６のインダクタンス疑似回路５０で、第１抵抗５１の抵抗値が第２抵抗２２の抵抗値に等しいときの電気的構成を示すブロック図、および信号源１３から矩形波を入力するときのシミュレーションによる電流波形図である。
【図９】図６のインダクタンス疑似回路５０で、第１抵抗５１の抵抗値が第２抵抗２２の抵抗値よりも小さいときの電気的構成を示すブロック図、および信号源１３から矩形波を入力するときのシミュレーションによる電流波形図である。
【図１０】図６のインダクタンス疑似回路５０で、第１抵抗５１の抵抗値が第２抵抗２２の抵抗値よりも大きいときの電気的構成を示すブロック図、および信号源１３から正弦波を入力するときのシミュレーションによる電流および電圧の波形図である。
【図１１】図６のインダクタンス疑似回路５０で、第１抵抗５１の抵抗値が第２抵抗２２の抵抗値に等しいときの電気的構成を示すブロック図、および信号源１３から正弦波を入力するときのシミュレーションによる電流および電圧波形図である。
【図１２】図６のインダクタンス疑似回路５０で、第１抵抗５１の抵抗値が第２抵抗２２の抵抗値よりも小さいときの電気的構成を示すブロック図、および信号源１３から正弦波を入力するときのシミュレーションによる電流および電圧波形図である。
【図１３】先行技術による模擬インダクタを示すブロック図である。
【符号の説明】
１０，５０  インダクタンス疑似回路
１１，１２  入力端子
１３  信号源
２０  コンデンサ
２１，５１  第１抵抗
２２  第２抵抗
３０，５２  直列回路
３１  第１フォロワ回路
３２  第２フォロワ回路
３３，５４  追加回路
３４  コイル
５３  フォロワ回路
【図１】
2004328867.tif 000003
【図２】
2004328867.tif 000004
【図３】
2004328867.tif 000005
【図４】
2004328867.tif 000006
【図５】
2004328867.tif 000007
【図６】
2004328867.tif 000008
【図７】
2004328867.tif 000009
【図８】
2004328867.tif 000010
【図９】
2004328867.tif 000011
【図１０】
2004328867.tif 000012
【図１１】
2004328867.tif 000013
【図１２】
2004328867.tif 000014
【図１３】
2004328867.tif 000015